(57)【要約】【課題】エレベータ室内の操作盤に、管理者の自主的配慮で、押しボタン横に点字ラベルを貼り付けているが、経年変化等で、判明できない点字ラベルも見られ、指で触れて直ぐ理解できる点字文表示が求められる。【解決手段】図１に示すとおり、エレベータ操作盤の操作する押しボタン近くに、点字文プレートを配置し、読む点字文を表示し、点字文を触る指圧で、タッチセンサーが検知し、点字文発音情報の案内言葉をスピーカへ情報伝送し、スピーカから案内言葉を発音する点字文発音案内ユニットであり、点字文を触り、点字文を読み、案内言葉を聞くことで、目的とする押しボタンへ案内することができる。【選択図】図１
2017137160.tif 000002
【特許請求の範囲】
【請求項１】
エレベータ操作盤に配置している操作ボタン近くに、点字文を表示、検知する点字文・タッチセンサー部と、タッチセンサー部の点字文位置情報から、点字文音声情報部を検索し、点字文音声情報を点字文発音部に伝送制御する制御部と、点字文音声情報を発音する点字文発音部と、電源部で構成する点字文発音案内ユニットを装備する点字文発音案内付きエレベータ。
【請求項２】
前記点字文・タッチセンサー部は、点字文プレートをタッチセンサーに取付ける構成とし、操作盤パネル上で点字文プレートを左から右へなぞることに支障がない位置に配置することを特徴とする請求項１記載の点字文発音機能付きエレベータ。
【請求項３】
前記制御部は、点字文音声情報入力機能、点字文音声情報部、前記点字文・タッチセンサー部からの点字文位置情報で、点字文音声情報部を検索し、点字文音声情報を点字文発音部に伝送する機能を有することを特徴とする請求項１記載の点字文発音機能付きエレベータ。
【請求項４】
前記点字文音声情報部は、表示の点字文に言葉を付加し、新しい言葉に置換える点字文音声情報から成ることを特徴とする請求項１記載の点字文発音機能付きエレベータ。
【請求項５】
前記点字文発音部は、前記制御部の基材上に配置し、前記制御部からの点字文音声情報を発音することを特徴とする請求項１記載の点字文発音機能付きエレベータ。
【請求項６】
既設エレベータに、前記点字文タッチセンサー部と、前記制御部と、前記点字文発音部とで構成する点字文発音案内ユニットを追加装備し、装備アップすることを特徴とする請求項１記載の点字文発音機能付きエレベータ。
【請求項７】
建物各階のエレベータ出入り口壁面に、前記点字文・タッチセンサー部と、前記制御部と、前記点字文発音部とで構成し、「上」、「下」の操作ボタンへ案内する点字文発音案内ユニットを設けることを特徴とする請求項１記載の点字文発音機能付きエレベータ。
【発明の詳細な説明】
【技術分野】
【０００１】
本発明は、エレベータの操作盤で、開閉ボタン、階床ボタン部近くに、点字文と点字文発音案内機能を備えることに関するものである。
【背景技術】
【０００２】
エレベータの操作盤において、墨字表示の開閉ボタン、階床ボタンのサイド側、または下部に、墨字内容の点字をプリントした点字ラベルを貼り付る方策を管理者によって実施している場合がある。
また、エレベータ操作盤に墨字、点字、絵文字で標識し、標識部接触で音声報知するエレベータが見られる。（特許文献１参照）
【先行技術文献】
【特許文献】
【０００３】
【特許文献１】特開２００４−２６９１９６号  公報
【発明の概要】
【発明が解決しようとする課題】
【０００４】
上述のように、エレベータの操作盤に付加する点字は、オプション仕様、管理者の自主的配慮で、点字ラベルを貼り付けて表示されている。
点字文を左から右へなぞり、点字文を読み、点字文を聞き、目的とする押しボタンへ案内することを課題とする。
【課題を解決するための手段】
【０００５】
本発明は、上述の課題を解決するもので、点字文を左から右へなぞり、点字文を読み、更に点字文を聞くことで、点字文情報を正しく理解し、目的とする押しボタンへ案内する点字文発音案内ユニットを操作盤に装備する点字文発音案内付きエレベータである。
【０００６】
エレベータ操作盤に配置している操作ボタン近くに、点字文を表示、検知する点字文・タッチセンサー部、点字文位置情報から、点字文音声情報部を検索し、点字文音声情報を点字文発音部に伝送、制御する制御部と、点字文音声情報を発音する点字文発音部と、電源部とで構成し、点字文をなぞることで、タッチセンサーが感知し、点字文位置情報を制御部へ伝送し、点字文音声情報を検索し、点字文音声情報を点字文発音部に伝送し、点字文音声情報を発音する点字文発音案内ユニットを装備するものである。
【０００７】
上記点字文・タッチセンサー部は、点字文を左から右へなぞることに支障がない位置に配置するものである。
【０００８】
前記制御部は、点字文音声情報入力機能と、点字文音声情報部と、点字文位置情報で点字文音声情報部を検索する機能と、点字文音声情報を点字文発音部に伝送する機能とを有する。
前記点字文音声情報部は、点字文・タッチセンサー部の点字文に言葉を付加し、新しい言葉に置換える点字文音声情報から成る。
前述点字文発音部は、前述制御部の基材上に点字文発音部のスピーカを配備するものである。
【０００９】
既設のエレベータに、点字文・タッチセンサー部と、制御部と、点字文発音部とで構成する点字文発音案内ユニットを追加装備し、
点字文発音機能付きエレベータに装備アップすることができる。
【００１０】
建物各階のエレベータ出入り口壁面に、点字文・タッチセンサー部と、制御部と、点字文発音部とで構成し、「上」、「下」の操作ボタンへ案内する点字文発音案内ユニットを設けることで、エレベータ内外で点字文発音案内するものである。
【発明の効果】
【００１１】
エレベータの操作盤に設けられた点字文案内は、読む点字文と、聞く点字文とになり、点字文に言葉を付加し、理解を得られる言葉の発音で情報が確実に伝わり、目的とする操作ボタンへ案内を行うことができる。
【図面の簡単な説明】
【００１２】
【図１】本発明のエレベータ袖壁の籠操作盤で、点字文発音案内ユニットの概念図である。
【図２】本発明のエレベータ側面壁の車椅子専用操作盤で、点字文発音案内ユニットの概念図である。
【図３】本発明のエレベータ袖壁の一列籠操作盤で、点字文発音案内ユニットの概念図である。
【発明を実施するための形態】
【００１３】
以下、本発明の実施形態を図１〜図３に基づいて説明する。
【００１４】
図１は、本発明の一実施例である点字文発音案内付きエレベータ袖壁の籠操作盤で、点字文発音案内ユニットの概念図を示している。
エレベータ室内（籠）の籠操作盤１、開閉、階床、非常の押しボタン１１、点字文を表示、検知する点字文・タッチセンサー部１２、点字文位置情報から、点字文音声情報部を検索し、点字文音声情報を伝送する機能を有する制御部１３、点字文音声情報を発音する、点字文発音部のスピーカ１４で構成とするものである。
開閉、階床の押しボタン１１間に配置する点字文・タッチセンサー部１２は、点字文を薄いプレートに刻印した点字文プレートをタッチセンサーの金属膜電極に取付け、感圧導電性ゴムとで構成とするものである。
点字文プレートの点字文をなぞる指圧で、タッチセンサーに導通経路が形成され、点字文位置情報を制御部１３に伝送する。
制御部１３は、点字文音声情報入力機能、点字文音声情報部、点字文位置情報から、点字文音声情報部を検索し、点字文音声情報を、点字文発音部のスピーカ１４に伝送する機能とで構成とするものである。
点字音声情報部は、点字文に言葉を付加し、新しい言葉に置換える点字文音声情報から成る。
新しい言葉に置換える点字文音声情報とは、点字文「３」をなぞった場合、「サン」と発音する点字文音声情報ではなく、例えば、「さんかいです」、または「さんかいゆきです」の言葉を発音する点字文音声情報である。
点字文発音部のスピーカ１４は、制御部１３の基材上に配置し、点字文音声情報を発音する。
【００１５】
点字文・タッチセンサー部１２の点字文プレートを左から右へなぞると、指圧でタッチセンサーの金属膜電極、感圧導電性ゴムに導通経路が形成され、感知したタッチセンサーから点字文位置情報として、制御部１３に伝送する。
制御部１３は、伝送された点字文位置情報から点字文音声情報部を検索し、該当する新しい言葉の点字文音声情報を、発音する点字文音声情報として、点字文発音部に伝送する。
点字文発音部は、上述制御部１３の基材上に配置するスピーカから成り、伝送された点字文音声情報をスピーカで発音する。
読む点字文で理解し、聞く点字文で再確認ができ、目的とする押しボタンへ案内する点字文発音案内ユニットである。
【００１６】
現在稼働中の既設エレベータに、点字文タッチセンサー部と、制御部と、点字文発音部とで構成する点字文発音案内ユニットを追加装備し、既設エレベータを点字文発音機能付きエレベータに装備アップすることができる。
【００１７】
建物各階のエレベータ出入り口壁面に、点字文・タッチセンサー部と、制御部と、点字文発音部とで構成し、「上」、「下」の操作ボタンへ案内する点字文発音案内ユニットを設けることで、エレベータ内外で点字文発音案内するものである。
【００１８】
図２は、本発明の一実施例である点字文発音案内付きエレベータ側壁の車椅子用操作盤で、点字文発音案内ユニットの概念図を示している。
エレベータ室内の車椅子用操作盤２．、開閉、階床、非常の押しボタン２１、点字文・タッチセンサー部２２、点字文音声情報部、検索、伝送機能を有する制御部２３、点字文発音部のスピーカ２４で構成されている。
点字文発音案内は、点字文をなぞり、検知し、点字文音声情報検索し、点字文音声情報を発音する機能から成り、前記エレベータ袖壁の籠操作盤の点字文発音案内ユニットに類する。
【００１９】
図３は、本発明の一実施例である点字文発音案内付きエレベータ袖壁の一列籠操作盤で、点字文発音案内ユニットの概念図を示している。
エレベータ室内（籠）の一列籠操作盤３、開閉、階床、非常の押しボタン３１、点字文・タッチセンサー部３２、点字文音声情報部、検索、伝送機能を有する制御部３３、点字文発音部のスピーカ３４で構成されている。
点字文発音案内は、点字文をなぞり、検知し、点字文音声情報検索し、点字文音声情報を発音する機能から成り、前記エレベータ袖壁の籠操作盤の点字文発音案内ユニットに類する。
【符号の説明】
【００２０】
１      籠操作盤  
１１      開閉、階床、非常の押しボタン      
１２      点字文・タッチセンサー部
１３      制御部
１４      スピーカ
２      車椅子用操作盤  
２１      開閉、階床、非常の押しボタン      
２２      点字文・タッチセンサー部
２３      制御部
２４      スピーカ
３      一列籠操作盤
３１      開閉、階床、非常の押しボタン      
３２      点字文・タッチセンサー部
３３      制御部
３４      スピーカ
【図１】
2017137160.tif 000003
【図２】
2017137160.tif 000004
【図３】
2017137160.tif 000005
【手続補正書】
【提出日】平成28年11月28日(2016.11.28)
【手続補正１】
【補正対象書類名】明細書
【補正対象項目名】全文
【補正方法】変更
【補正の内容】
【発明の詳細な説明】
【技術分野】
【０００１】
本発明は、エレベータの操作盤で、開閉ボタン、階床ボタン部近くに、点字文と点字文発音案内機能を備えることに関するものである。
【背景技術】
【０００２】
エレベータの操作盤において、墨字表示の開閉ボタン、階床ボタンのサイド側、または下部に、墨字内容の点字をプリントした点字ラベルを貼り付ける方策を管理者によって実施している場合がある。また、エレベータ操作盤に墨字、点字、絵文字で標識し、標識部接触で音声報知するエレベータが見られる。（特許文献１参照）
【先行技術文献】
【特許文献】
【０００３】
【特許文献１】特開２００４−２６９１９６号  公報
【発明の概要】
【発明が解決しようとする課題】
【０００４】
上述のように、エレベータの操作盤に付加する点字は、オプション仕様、管理者の自主的配慮で、点字ラベルを貼り付けて表示されている。
点字文を左から右へなぞり、点字文を読み、点字文を聞き、目的とする押しボタンへ案内することを課題とする。
【課題を解決するための手段】
【０００５】
本発明は、上述の課題を解決するもので、点字文を触れる、点字文を読む、さらに点字文を聞くことで、点字文を理解し、目的とする押しボタンへ案内する点字文発音案内ユニットをエレベータ操作盤に装備する点字文発音案内付きエレベータである。
【０００６】
エレベータ操作盤に配置している操作ボタン近くに、点字文を表示、指圧を検知する点字文・タッチセンサー部と、スピーカと、電源部とで構成し、点字文を触ることで、タッチセンサー部が検知し、点字文音声情報の案内言葉を情報伝送し、スピーカが発音する点字文発音案内ユニットを装備するものである。
【０００７】
上記点字文・タッチセンサー部は、点字文プレートを触れる指圧を検知し、点字文音声情報の案内言葉を情報伝送するものである。
【０００８】
前記点字文音声情報の案内言葉は、触れる点字文に対応する押しボタンに案内する言葉で、点字文・タッチセンサー部で構成するものである。
【０００９】
前記スピーカは、点字文音声情報の案内言葉を発音するものである。
【００１０】
建物各階のエレベータ出入り口の壁面操作盤に、点字文・タッチセンサー部と、スピーカとで構成する点字文発音案内ユニットを装備し、操作ボタンへ案内ものである。
【発明の効果】
【００１１】
エレベータの操作盤に設けられた点字文発音案内ユニットは、読む点字文と、聞く点字文とになり、案内言葉の発音で情報が確実に伝わり、目的とする操作ボタンへ案内を行うことができる。
【図面の簡単な説明】
【００１２】
【図１】本発明のエレベータ袖壁の籠操作盤で、点字文発音案内ユニットの概念図である。
【図２】本発明のエレベータ側面壁の車椅子専用操作盤で、点字文発音案内ユニットの概念図である。
【図３】本発明のエレベータ袖壁の一列籠操作盤で、点字文発音案内ユニットの概念図である。
【発明を実施するための形態】
【００１３】
以下、本発明の実施形態を図１〜図３に基づいて説明する。
【００１４】
図１は、本発明の一実施例である点字文発音案内付きエレベータ袖壁の籠操作盤で、点字文発音案内ユニットの概念図を示している。エレベータ室内（籠）の籠操作盤１、開閉、階床、非常の押しボタン１１、点字文を表示、指圧検知する点字文・タッチセンサー部１２と、のスピーカ１４とで構成とするものである。開閉、階床の押しボタン１１間に配置する点字文・タッチセンサー部１２は、点字文を刻印した点字文プレートと、金属膜電極、感圧導電性ゴムのタッチセンサーと、触れる点字文に対応する点字文音声情報の案内言葉とで構成するものである。点字文プレートの点字文を触れる指圧で検知し、タッチセンサーに導通経路が形成され、点字文音声情報の案内言葉を点字文発音案内ユニット１３のスピーカ１４に情報伝送し、スピーカ１４が点字文音声情報の案内言葉を発音する。
【００１５】
読む点字文で理解し、点字文発音案内ユニット１３のスピーカ１４で点字文音声情報の案内言葉を聞くことで確認ができ、目的とする押しボタンへ案内することができる。
【００１６】
図２は、本発明の一実施例である点字文発音案内付きエレベータ側壁の車椅子用操作盤で、点字文発音案内ユニットの概念図を示している。エレベータ室内の車椅子用操作盤２、開閉、階床、非常の押しボタン２１、点字文・タッチセンサー部２２、点字文発音案内ユニット２３、スピーカ２４で構成されている。点字文発音案内は、点字文に触れる指圧で検知し、点字文音声情報の案内言葉をスピーカ２４で発音する。
【００１７】
図３は、本発明の一実施例である点字文発音案内付きエレベータ袖壁の一列籠操作盤で、点字文発音案内ユニットの概念図を示している。エレベータ室内（籠）の一列籠操作盤３、開閉、階床、非常の押しボタン３１、点字文・タッチセンサー部３２、点字文発音案内ユニット３３、スピーカ３４で構成されている。点字文発音案内は、点字文に触れる指圧で検知し、点字文音声情報の案内言葉をスピーカ３４で発音する。
【００１８】
建物各階のエレベータ出入り口の壁面操作盤に、点字文・タッチセンサー部と、スピーカとで構成する点字文発音案内ユニットを装備することで、点字文を触れることで、点字文音声情報の案内言葉をスピーカから発音し、目的とする押しボタンへ案内するものである。
【符号の説明】
【００１９】
１      籠操作盤  
１１      開閉、階床、非常の押しボタン      
１２      点字文・タッチセンサー部
１３      点字文発音案内ユニット
１４      スピーカ
２      車椅子用操作盤  
２１      開閉、階床、非常の押しボタン      
２２      点字文・タッチセンサー部
２３      点字文発音案内ユニット
２４      スピーカ
３      一列籠操作盤
３１      開閉、階床、非常の押しボタン      
３２      点字文・タッチセンサー部
３３      点字文発音案内ユニット
３４      スピーカ
【手続補正２】
【補正対象書類名】特許請求の範囲
【補正対象項目名】全文
【補正方法】変更
【補正の内容】
【特許請求の範囲】
【請求項１】
エレベータ操作盤に配置している操作ボタン近くに、点字文・タッチセンサー部と、スピーカと、電源部とで構成する点字文発音案内ユニットを装備する点字文発音案内付きエレベータ。
【請求項２】
前記点字文・タッチセンサー部は、点字文を表示する点字文プレートと、触れる指圧を検知するタッチセンサーと、点字文音声情報の案内言葉とで構成することを特徴とする請求項１記載の点字文発音案内付きエレベータ。
【請求項３】
前記点字文音声情報の案内言葉は、触れる点字文に対応する押しボタンに案内する言葉であることを特徴とする請求項１記載の点字文発音案内付きエレベータ。
【請求項４】
前記スピーカは、前記点字文・タッチセンサー部の点字文音声情報の案内言葉を発音することを特徴とする請求項１記載の点字文発音案内付きエレベータ。
【請求項５】
建物各階のエレベータ出入り口の壁面操作盤に、前記点字文・タッチセンサー部と、前記スピーカとで構成する点字文発音案内ユニットを装着することを特徴とする請求項１記載点字文発音案内付きエレベータ。
【手続補正４】
【補正対象書類名】図面
【補正対象項目名】全図
【補正方法】変更
【補正の内容】
【図１】
2017137160.tif 000006
【図２】
2017137160.tif 000007
【図３】
2017137160.tif 000008
【手続補正書】
【提出日】平成29年4月7日(2017.4.7)
【手続補正１】
【補正対象書類名】明細書
【補正対象項目名】全文
【補正方法】変更
【補正の内容】
【発明の詳細な説明】
【技術分野】
【０００１】
本発明は、エレベータの操作盤で、開閉ボタン、階床ボタン部近くに、点字文と点字文発音案内機能を備えることに関するものである。
【背景技術】
【０００２】
エレベータの操作盤において、墨字表示の開閉ボタン、階床ボタンのサイド側、または下部に、墨字内容の点字をプリントした点字ラベルを貼る方策を管理者によって実施している場合がある。また、エレベータ操作盤に墨字、点字、絵文字で標識し、標識部接触で音声報知するエレベータが見られる。（特許文献１参照）
【先行技術文献】
【特許文献】
【０００３】
【特許文献１】特開２００４−２６９１９６号  公報
【発明の概要】
【発明が解決しようとする課題】
【０００４】
上述のように、エレベータの操作盤に付加する点字は、オプション仕様、管理者の自主的配慮で、点字ラベルを貼り付けて表示されている。点字文をなぞり、点字文を読み、点字文を聞き、目的とする押しボタンを押すことを課題とする。
【課題を解決するための手段】
【０００５】
本発明は、上述の課題を解決するもので、  エレベータ操作盤に点字文を表示、検知する点字文・タッチセンサー部、点字文の点字文音声情報部、点字文位置情報と点字文音声情報を伝送、制御する制御部、点字文音声情報を発音する点字文発音部のスピーカおよび電源部で構成する点字文発音案内ユニットを装備する。操作盤に装備した点字文発音案内ユニットから発音する点字文発音案内付きエレベータとするものである。
【０００６】
点字文を表示、検知する点字文・タッチセンサー部は、点字文プレートをタッチセンサーに取付ける構成で、前記点字文プレートをなぞることに支障のない位置に配置するものである。
【０００７】
前記制御部は、点字文・タッチセンサー部からの点字文位置情報で、点字文音声情報部を検索し、点字文音声情報を点字文音声部のスピーカに伝送する機能を有する。
【０００８】
前記点字文発音部のスピーカは、点字文音声情報を発音するもので点字文発音案内ユニットに配置するものである。
【発明の効果】
【０００９】
本発明の点字文発音案内ユニットは、点字文をなぞることで、点字文発音部のスピーカから聞く点字文で、目的とすると操作ボタンへ案内することができる。
【図面の簡単な説明】
【００１０】
【図１】本発明のエレベータ袖壁の籠操作盤で、点字文発音案内ユニットの概念図である。
【発明を実施するための形態】
【００１１】
以下、本発明の実施形態を図１に基づいて説明する。
【００１２】
図１は、本発明の一実施例である点字文発音案内付きエレベータ袖壁の籠操作盤に装備した点字文発音案内ユニットの概念図を示している。エレベータ室内（籠）の籠操作盤１、開閉、階床、非常の押しボタン１１、点字文を表示、検知する点字文・タッチセンサー部１２、点字文位置情報から、点字文音声情報部を検索し、点字文音声情報を伝送する機能を有する制御部、点字文音声情報を発音する点字文発音部のスピーカ１４、点字文発音案内ユニット１３で構成するものである。開閉、階床の押しボタン１１間に配置する点字文・タッチセンサー部１２は、薄いプレートに点字文を刻印した点字文プレートをタッチセンサーに取付ける構成とするものである。点字文プレートの点字文をなぞるとタッチセンサーに導通経路が形成され、点字文位置情報を制御部に伝送する。制御部は、点字文音声情報部を検索し、点字文音声情報を、点字文発音部のスピーカ１４に伝送する機能を有するものである。点字文音声情報部は、点字文に言葉を付加し、新しい言葉に置換える点字文音声情報から成る。新しい言葉に置換える点字文音声情報とは、点字文「３」をなぞった場合、「サン」と発音する点字文音声情報ではなく、例えば「さんかいです」の言葉を発音する点字文音声情報である。点字文発音部のスピーカ１４は、点字文音声情報を発音するもので点字文発音案内ユニット１３に配置する。
【００１３】
点字文・タッチセンサー部１２の点字文プレートをなぞると感知したタッチセンサーから点字文位置情報として、制御部に伝送する。制御部は、伝送された点字文位置情報から点字文音声情報部を検索し、該当する新しい言葉の点字文音声情報を、発音する点字文音声情報として、点字文発音部のスピーカ１４に伝送する。点字文発音部のスピーカ１４は、点字文発音案内ユニット１３に配置され、伝送された点字文音声情報を発音する。読む点字文で理解し、新しい言葉を聞き再確認ができ、目的とするしボタンを押すことができる点字文発音案内ユニットである。
【符号の説明】
【００１４】
１      籠操作盤  
１１    開閉、階床、非常の押しボタン      
１２    点字文・タッチセンサー部
１３    点字文発音案内ユニット
１４    スピーカ
【手続補正２】
【補正対象書類名】特許請求の範囲
【補正対象項目名】全文
【補正方法】変更
【補正の内容】
【特許請求の範囲】
【請求項１】
エレベータ操作盤に点字文を表示、検知する点字文・タッチセンサー部、点字文の点字文音声情報部、点字文位置情報と点字文音声情報を伝送、制御する制御部、点字文音声情報を発音する点字文発音部のスピーカおよび電源部で構成する点字文発音案内ユニットを装備することを特徴とする、点字文発音案内付きエレベータ。
【請求項２】
前記点字文を表示、検知する点字文・タッチセンサー部は、点字文プレートをタッチセンサーに取付ける構成からなり、操作盤パネル上の点字文プレートをなぞることに支障のない位置に配置することを特徴とする請求項１記載の点字文発音案内付きエレベータ。
【請求項３】
前記制御部は、点字文・タッチセンサー部からの点字文位置情報で、点字文音声情報部を検索し、点字文音声情報を点字文発音部のスピーカに伝送する機能を有すること特徴とする請求項１記載の点字文発音案内付きエレベータ。
【請求項４】
前記点字文発音部のスピーカは、点字文音声情報を発音するもので点字文発音案内ユニットに配置することを特徴とする請求項１記載の点字文発音案内付きエレベータ。
【手続補正３】
【補正対象書類名】図面
【補正対象項目名】図１
【補正方法】変更
【補正の内容】
【図１】
2017137160.tif 000009
【手続補正４】
【補正対象書類名】図面
【補正対象項目名】図２
【補正方法】削除
【補正の内容】
【手続補正５】
【補正対象書類名】図面
【補正対象項目名】図３
【補正方法】削除
【補正の内容】